(57)【特許請求の範囲】
【請求項１】
給電回路が接続されるコイル導体を有する給電アンテナと、
前記給電アンテナの前記コイル導体に電磁界を介して結合する第１ブースター導体と、
前記第１ブースター導体に電磁界を介して結合し、且つ前記給電アンテナに電磁界を介して結合する第２ブースター導体と、
を有し、
前記第１ブースター導体および前記第２ブースター導体は、ともに面状の導体である、アンテナ装置。
【請求項２】
前記第１ブースター導体および前記第２ブースター導体は、平面視で前記第１ブースター導体および前記第２ブースター導体で前記コイル導体をループ状に囲むように形成されていて、前記コイル導体は、その開口部の少なくとも一部が前記第１ブースター導体の外縁よりも外側に位置するように配置されている、請求項１に記載のアンテナ装置。
【請求項３】
平面視で、前記コイル導体の第１端部が前記第１ブースター導体の第１端部に重なり、前記コイル導体の第２端部が前記第２ブースター導体の第１端部に重なり、前記第１ブースター導体の第２端部が前記第２ブースター導体の第２端部に重なる、請求項１または２に記載のアンテナ装置。
【請求項４】
前記第１ブースター導体は前記第２ブースター導体より大きい、請求項１〜３のいずれかに記載のアンテナ装置。
【請求項５】
前記給電アンテナと前記第１ブースター導体との距離は、前記給電アンテナと前記第２ブースター導体との距離よりも小さい、請求項４に記載のアンテナ装置。
【請求項６】
コイル導体を有する給電アンテナと、前記給電アンテナの前記コイル導体に電磁界を介して結合する第１ブースター導体と、前記第１ブースター導体に電磁界を介して結合し、且つ前記給電アンテナに電磁界を介して結合する第２ブースター導体と、を有し、前記第１ブースター導体および前記第２ブースター導体は、ともに面状の導体であるアンテナ装置と、
前記コイル導体に接続される給電回路と、
を備えた通信端末機器。
【請求項７】
前記第１ブースター導体は、前記通信端末機器の筐体または筐体内に収容される金属体である、請求項６に記載の通信端末機器。
【発明の詳細な説明】
【技術分野】
【０００１】
この発明は、相手側機器と電磁界信号を介して通信するＲＦＩＤシステムや短距離無線通信システムに用いられるアンテナ装置および通信端末機器に関するものである。
【背景技術】
【０００２】
近年、利用が拡大しているＲＦＩＤシステムや短距離無線通信システムにおいては、携帯電話等の携帯電子機器同士または携帯電子機器とリーダ・ライタとで通信を行うために、各々の機器に通信用のアンテナが搭載されている。これらのアンテナのうち携帯電子機器に搭載されるアンテナについて特許文献１が開示されている。【０００３】
図１（Ａ）は特許文献１に示されている無線ＩＣデバイスの主要部の断面図である。図１（Ｂ）はその無線ＩＣデバイスの給電回路基板と放射板との配置関係を示す図である。この無線ＩＣデバイス１は、所定の無線信号を処理する無線ＩＣチップ５と、無線ＩＣチップ５に接続され、少なくとも一つのコイルパターン２３を含んだ給電回路を有する給電回路基板４と、給電回路基板４から供給された送信信号を放射するとともに、受信信号を受けてこれを給電回路基板４に供給する放射板３とを備えている。放射板３はその一部に開口部７と該開口部７に連接したスリット部６とを有し、コイルパターン２３の巻回軸方向から平面視したとき、放射板３の開口部７とコイルパターン２３の内側領域とが重なっていて、かつ、内側領域と開口部７との面積はほぼ同じである。【０００４】
図１（Ａ）において、無線信号の送信時には、無線ＩＣチップ５から信号電流がコイルパターン２３に流され、この電流によって生じた誘導磁界Ｈは、開口部７を通して図中点線で示すように分布する。誘導磁界Ｈによって、図１（Ｂ）に示すように、開口部７の周囲部分に、誘導電流Ｉ１，Ｉ２が生じる。ここで、開口部７にはスリット部６が連接されているため、この誘導電流Ｉ１，Ｉ２はスリット部６にてその流れが制限される。このように、放射板３においては、誘導電流Ｉ１，Ｉ２によって磁界Ｈが誘起される。この磁界によって無線信号が送信される。
【先行技術文献】
【特許文献】
【０００５】
【特許文献１】国際公開第２００９／１４２１１４号パンフレット
【発明の概要】
【発明が解決しようとする課題】
【０００６】
しかし、放射板に開口部とスリット部が必要であるため、放射板の形状に制約があり、また、放射板とコイル導体との位置関係に高い精度が要求される。【０００７】
そこで、この発明の目的は、放射板の形状の自由度が高く、放射板とコイル導体との位置関係に高い位置精度を必要としないアンテナ装置および通信端末機器を提供することにある。
【課題を解決するための手段】
【０００８】
本発明のアンテナ装置は、給電回路が接続されるコイル導体を有する給電アンテナと、
前記給電アンテナの前記コイル導体に電磁界を介して結合する第１ブースター導体と、
前記第１ブースター導体に電磁界を介して結合し、且つ前記給電アンテナに電磁界を介して結合する第２ブースター導体と、を有し、前記第１ブースター導体および前記第２ブースター導体は、ともに面状の導体である。
また、前記第１ブースター導体および前記第２ブースター導体は、平面視で前記第１ブースター導体および前記第２ブースター導体で前記コイル導体をループ状に囲むように形成されていて、前記コイル導体は、その開口部の少なくとも一部が前記第１ブースター導体の外縁よりも外側に位置するように配置されている。
【０００９】
例えば、平面視で、コイル導体の第１端部が第１ブースター導体の第１端部に重なり（オーバーラップし）、コイル導体の第２端部が第２ブースター導体の第１端部に重なり、第１ブースター導体の第２端部が第２ブースター導体の第２端部に重なる。【００１０】
この構造により、給電アンテナによって第１ブースター導体に電流が誘起され、第１ブースター導体および給電アンテナによって第２ブースター導体に電流が誘起される。この構造によれば、開口部とスリットが不要であるので、第１のブースター導体と第２のブースター導体を設けることにより、放射板（第１第２のブースター導体）の形状の自由度が高まる。【００１１】
前記第１ブースター導体が前記第２ブースター導体より大きければ、第１ブースター導体と第２ブースター導体の大きさが等しい場合に比べて、二つのブースター導体の配置の自由度が高まり、電子機器への組み込みが容易となる。【００１２】
さらに、給電アンテナと第１ブースター導体との距離が、給電アンテナと第２ブースター導体との距離よりも小さければ、より大きな第１ブースター導体と給電アンテナとが強く結合し、より小さな第２ブースター導体と給電アンテナとが強く結合した場合に比べて良好なアンテナ特性が得られる。【００１３】
本発明の通信端末機器は、コイル導体を有する給電アンテナと、前記給電アンテナの前記コイル導体に電磁界を介して結合する第１ブースター導体と、前記第１ブースター導体に電磁界を介して結合し、且つ前記給電アンテナに電磁界を介して結合する第２ブースター導体と、を有し、前記第１ブースター導体および前記第２ブースター導体は、ともに面状の導体であるアンテナ装置と、
前記コイル導体に接続される給電回路と、を備える。
【００１４】
前記第１ブースター導体は、例えば通信端末機器の筐体またはその筐体内に収容される金属体である。この構造により第１ブースター導体として特別な部材を設ける必要が無く、部品点数が削減され小型低コスト化が図れる。
【発明の効果】
【００１５】
本発明によれば、開口部とスリットを備えた放射板が不要であるので、第１のブースター導体と第２のブースター導体を設けることにより、放射板（第１第２のブースター導体）の形状の自由度が高まる。また、放射板である第１第２のブースター導体とコイル導体との位置関係に高い位置精度が要求されない。
【図面の簡単な説明】
【００１６】
【図１】図１（Ａ）は特許文献１に示されている無線ＩＣデバイスの主要部の断面図である。図１（Ｂ）はその無線ＩＣデバイスの給電回路基板と放射板との配置関係を示す図である。
【図２】図２（Ａ）は第１の実施形態に係るアンテナ装置１０１の概略平面図、図２（Ｂ）はアンテナ装置１０１の部分拡大平面図である。
【図３】図３はアンテナ装置１０１の動作原理を示す図である。
【図４】図４は第２の実施形態に係るアンテナ装置１０２の分解斜視図である。
【図５】図５は、第２ブースター導体６２、給電アンテナ５０、フェライトシート６３の形状と位置関係を示す分解斜視図である。
【図６】図６はアンテナ装置１０２の部分拡大平面図である。
【図７】図７はアンテナ装置１０２の動作原理を示す図である。
【図８】図８（Ａ）はアンテナ装置１０３の平面図、図８（Ｂ）はアンテナ装置１０３の主要部の平面図である。
【図９】図９はアンテナ装置１０３の動作原理を示す図であり、給電アンテナ５０、第１ブースター導体６１、および第２ブースター導体６２のそれぞれの間での結合の仕方を示している。
【図１０】図１０（Ａ）はアンテナ装置１０４の平面図、図１０（Ｂ）はアンテナ装置１０４の主要部の平面図である。
【図１１】図１１はアンテナ装置１０４の動作原理を示す図であり、給電アンテナ５０、第１ブースター導体６１、および第２ブースター導体６２のそれぞれの間での結合の仕方を示している。
【図１２】図１２（Ａ）はアンテナ装置１０５の平面図、図１２（Ｂ）はアンテナ装置１０５の主要部の平面図である。
【図１３】図１３はアンテナ装置１０５の動作原理を示す図であり、給電アンテナ５０、第１ブースター導体６１、および第２ブースター導体６２のそれぞれの間での結合の仕方を示している。
【発明を実施するための形態】
【００１７】
《第１の実施形態》
第１の実施形態に係るアンテナ装置について図２および図３を参照して説明する。図２（Ａ）は第１の実施形態に係るアンテナ装置１０１の概略平面図、図２（Ｂ）はアンテナ装置１０１の部分拡大平面図である。
【００１８】
アンテナ装置１０１は、給電アンテナ３０、第１ブースター導体４１および第２ブースター導体４２を備えている。図２（Ｂ）に示すように、給電アンテナ３０はポリイミドフィルムのような絶縁性の支持フィルム３１に矩形スパイラル状のコイル導体３２が形成されたものである。
【００１９】
第１ブースター導体４１は、ポリイミドフィルムのような絶縁性の支持フィルムに導体膜が形成されたものである。同様に、第２ブースター導体４２は、ポリイミドフィルムのような絶縁性の支持フィルムに導体膜が形成されたものである。
【００２０】
コイル導体３２の第１端部３２Ｅ１は第１ブースター導体４１の第１端部４１Ｅ１に重なっている。このことにより、第１ブースター導体４１は給電アンテナ３０のコイル導体３２に電磁界を介して結合する。また、コイル導体３２の第２端部３２Ｅ２は第２ブースター導体４２の第１端部４２Ｅ１に重なっている。このことにより、第２ブースター導体４２は給電アンテナ３０のコイル導体３２に電磁界を介して結合する。さらに、第１ブースター導体４１の第２端部４１Ｅ２は第２ブースター導体４２の第２端部４２Ｅ２に重なっている。このことにより、第１ブースター導体４１は第２ブースター導体４２に電磁界を介して結合する。
【００２１】
図３は前記アンテナ装置１０１の動作原理を示す図である。図３（Ａ）は給電アンテナ３０と第１ブースター導体４１との結合の仕方を示している。
図３（Ａ）に示すように、給電アンテナ３０のコイル導体に流れる電流ｉ０によって第１ブースター導体４１に電流ｉ１０が誘起される。すなわち、給電アンテナ３０と第１ブースター導体４１とが重なっている部分で、電流ｉ０によって第１ブースター導体４１に電流ｉ０を打ち消す方向の電流ｉ１０が流れる。この電流ｉ１０は縁端効果によって第１ブースター導体４１の周囲を周回する。
【００２２】
図３（Ｂ）に示すように、給電アンテナ３０のコイル導体に流れる電流ｉ０によって第２ブースター導体４２に電流ｉ２が誘起される。すなわち、給電アンテナ３０と第２ブースター導体４２とが重なっている部分で、電流ｉ０によって第２ブースター導体４２に電流ｉ０を打ち消す方向の電流ｉ２が流れる。この電流ｉ２は縁端効果によって第２ブースター導体４２の周囲を周回する。
【００２３】
図３（Ｃ）に示すように、第２ブースター導体４２に流れる電流ｉ２によって第１ブースター導体４１に電流ｉ１２が誘起される。すなわち、第２ブースター導体４２と第１ブースター導体４１とが重なっている部分で、電流ｉ２によって第１ブースター導体４１に電流ｉ２を打ち消す方向の電流ｉ１２が流れる。この電流ｉ１２は縁端効果によって第１ブースター導体４１の周囲を周回する。
【００２４】
図３（Ｄ）では図３（Ａ）〜（Ｃ）に示した電流を重ねて表している。このように第２ブースター導体４２には電流ｉ２が流れ、第１ブースター導体４１には電流ｉ１０，ｉ１２が流れる。この電流ｉ１０，ｉ１２は同位相の電流であるので、両者が加算され第１ブースター導体４１にはｉ１０＋ｉ１２の電流が流れる。したがって、給電アンテナ３０に対して第１ブースター導体４１だけを結合させた場合に比べて、電流ｉ２と電流ｉ１２の分だけ多くの電流が流れる。また、第２ブースター導体４２に電流ｉ２が流れることにより、電流の周回経路が拡大される。この二つの効果によって、アンテナの利得が向上する。
【００２５】
なお、第１ブースター導体４１、第２ブースター導体４２、給電アンテナ３０の積層順には幾つかの組み合わせがあるが、どの順でも同様に作用する。第１ブースター導体４１の方が第２ブースター導体４２よりも大きい場合、給電アンテナ３０と第１ブースター導体４１との距離が、給電アンテナ３０と第２ブースター導体４２との距離よりも小さければ、より大きな第１ブースター導体４１と給電アンテナ３０とが強く結合するので、アンテナ特性を向上させるうえで好ましい。
【００２６】
図２に示した例では、コイル導体３２は２ターンのコイルを構成しているが、必要なインダクタンスに応じてターン数および各辺の寸法を定めればよい。コイル導体３２と回路基板との接続は例えばピン端子を用いる。すなわち、コイル導体３２の両端にパッド電極を形成しておき、組み込み先の基板に設けたピン端子がパッド電極に当接するように構成する。
【００２７】
《第２の実施形態》
第２の実施形態に係るアンテナ装置および通信端末機器について図４〜図７を参照して説明する。図４は第２の実施形態に係るアンテナ装置１０２の分解斜視図、図５は、第２ブースター導体６２、給電アンテナ５０、フェライトシート６３の形状と位置関係を示す分解斜視図である。また、図６はアンテナ装置１０２の部分拡大平面図である。このアンテナ装置１０２は、代表的には、１３．５６ＭＨｚ帯（ＨＦ帯）を利用するＲＦＩＤシステムや短距離無線通信システム用のアンテナ装置である。
【００２８】
図４において、給電アンテナ５０、第１ブースター導体６１および第２ブースター導体６２によってアンテナ装置１０２が構成されている。また、このアンテナ装置１０２とプリント配線板６４およびプリント配線板６４に実装されている部品によって通信端末機器が構成されている。プリント配線板６４にはロッドアンテナ６５、カメラの撮像素子６６が実装されている。また、給電アンテナ５０の下部に例えばフェライトシートのような磁性体シート６３が配置されている。またプリント配線板６４には、アンテナ装置１０２のコイル導体３２に対して給電を行う給電回路を備えている。第１ブースター導体６１は金属筐体（金属薄板）である。すなわち、通信端末機器にもともと備える部材を第１ブースター導体６１に兼用している。
【００２９】
給電アンテナ５０は、第１実施形態で図２（Ｂ）に示した給電アンテナ３０と同様に、絶縁性支持フィルムにコイル導体が形成されたものである。第２ブースター導体６２はΠ字形状である。磁性体シート６３はＬ字形状であり、給電アンテナ５０のコイル導体３２の二辺と重なる。この磁性体シート６３は、給電アンテナ５０のコイル導体の巻回中心を過ぎる磁束がプリント配線板の縁を通過するように磁路を形成する。
【００３０】
平面視で、第１ブースター導体６１は給電アンテナ５０のコイル導体３２の端部に重なり、コイル導体３２の端部が第２ブースター導体６２の端部に重なり、第１ブースター導体６１の端部が前記第２ブースター導体６２の端部に重なる。この例では第２ブースター導体６２はΠ文字形状であるので、コイル導体３２の三辺と重なる。また、第１ブースター導体６１はコイル導体３２の一辺とで重なる。すなわち、コイル導体３２と重なる部分では、第１ブースター導体６１と第２ブースター導体６２とでループが形成されている。
【００３１】
図７は前記アンテナ装置１０２の動作原理を示す図である。図７は給電アンテナ５０、第１ブースター導体６１、および第２ブースター導体６２のそれぞれの間での結合の仕方を示している。
先ず、給電アンテナ５０のコイル導体３２に流れる電流ｉ０によって第１ブースター導体６１に電流ｉ１０が誘起される。また、給電アンテナ５０のコイル導体３２に流れる電流ｉ０によって第２ブースター導体６２に電流ｉ２が誘起される。そして、第２ブースター導体６２に流れる電流ｉ２によって第１ブースター導体６１に電流ｉ１２が誘起される。
【００３２】
このようにして、給電アンテナ５０に対して第１ブースター導体６１だけを結合させた場合に比べて、電流ｉ２と電流ｉ１２の分だけ多くの電流が流れる。また、第２ブースター導体６２に電流ｉ２が流れることにより、電流の周回経路が拡大される。この二つの効果によって、アンテナの利得が向上する。
【００３３】
なお、図５に示した磁性体シート６３は給電アンテナ５０と同じ形状にして給電アンテナ５０の下面の全面を覆ってもよい。また、強制的な磁路の形成が不要な場合には磁性体シートは不要である。なお、磁性体シートにはフェライト以外の磁性体を用いてもよい。
【００３４】
アンテナ装置１０２の共振周波数を定めるために、給電アンテナ５０に形成されているコイル導体３２の両端に周波数調整用のキャパシタを接続してもよい。この周波数調整用キャパシタは給電アンテナ５０、プリント配線板６４、または無線ＩＣ素子のいずれに設けてもよい。
【００３５】
《第３の実施形態》
第３の実施形態に係るアンテナ装置について、図８および図９を参照して説明する。図８（Ａ）はアンテナ装置１０３の平面図、図８（Ｂ）はアンテナ装置１０３の主要部の平面図である。図９はアンテナ装置１０３の動作原理を示す図であり、給電アンテナ５０、第１ブースター導体６１、および第２ブースター導体６２のそれぞれの間での結合の仕方を示している。
図８（Ａ）に示すように、給電アンテナのコイル導体３２、第１ブースター導体６１および第２ブースター導体６２によってアンテナ装置１０３が構成されている。給電アンテナ５０は絶縁性の支持フィルムとその支持フィルムに形成されたコイル導体３２とで構成されている。第３の実施形態では、第２ブースター導体６２が環状であり、この第２ブースター導体６２の一辺にコイル導体３２の一辺が重なっている。また、給電アンテナ５０、第１ブースター導体６１、第２ブースター導体６２の順に重ねられている。
【００３６】
図９に示すように、先ず、給電アンテナ５０のコイル導体３２に流れる電流ｉ０によって第１ブースター導体６１に電流ｉ１０が誘起される。また、給電アンテナ５０のコイル導体３２に流れる電流ｉ０によって第２ブースター導体６２に電流ｉ２が誘起される。そして、第２ブースター導体６２に流れる電流ｉ２によって第１ブースター導体６１に電流ｉ１２が誘起される。
【００３７】
このようにして、給電アンテナ５０に対して第１ブースター導体６１だけを結合させた場合に比べて、電流ｉ２と電流ｉ１２の分だけ多くの電流が流れる。また、第２ブースター導体６２に電流ｉ２が流れることにより、電流の周回経路が拡大される。この二つの効果によって、アンテナの利得が向上する。
【００３８】
《第４の実施形態》
第４の実施形態に係るアンテナ装置について、図１０および図１１を参照して説明する。図１０（Ａ）はアンテナ装置１０４の平面図、図１０（Ｂ）はアンテナ装置１０４の主要部の平面図である。図１１はアンテナ装置１０４の動作原理を示す図であり、給電アンテナ５０、第１ブースター導体６１、および第２ブースター導体６２のそれぞれの間での結合の仕方を示している。
図１０（Ａ）に示すように、給電アンテナのコイル導体３２、第１ブースター導体６１および第２ブースター導体６２によってアンテナ装置１０４が構成されている。給電アンテナ５０は絶縁性の支持フィルムとその支持フィルムに形成されたコイル導体３２とで構成されている。第４の実施形態では、第２ブースター導体６２は、環状部分とそこから直線状に延び出た部分とを備え、コイル導体３２の二辺が第２ブースター導体６２に重なっている。また、給電アンテナ５０、第２ブースター導体６２、第１ブースター導体６１の順に重なっている。
【００３９】
図１１に示すように、先ず、給電アンテナ５０のコイル導体３２に流れる電流ｉ０によって第１ブースター導体６１に電流ｉ１０が誘起される。また、給電アンテナ５０のコイル導体３２に流れる電流ｉ０によって第２ブースター導体６２に電流ｉ２が誘起される。そして、第２ブースター導体６２に流れる電流ｉ２によって第１ブースター導体６１に電流ｉ１２が誘起される。
【００４０】
このようにして、給電アンテナ５０に対して第１ブースター導体６１だけを結合させた場合に比べて、電流ｉ２と電流ｉ１２の分だけ多くの電流が流れる。また、第２ブースター導体６２に電流ｉ２が流れることにより、電流の周回経路が拡大される。この二つの効果によって、アンテナの利得が向上する。
【００４１】
《第５の実施形態》
第５の実施形態に係るアンテナ装置について、図１２および図１３を参照して説明する。図１２（Ａ）はアンテナ装置１０５の平面図、図１２（Ｂ）はアンテナ装置１０５の主要部の平面図である。図１３はアンテナ装置１０５の動作原理を示す図であり、給電アンテナ５０、第１ブースター導体６１、および第２ブースター導体６２のそれぞれの間での結合の仕方を示している。
図１２（Ａ）に示すように、給電アンテナのコイル導体３２、第１ブースター導体６１および第２ブースター導体６２によってアンテナ装置１０５が構成されている。給電アンテナ５０は絶縁性の支持フィルムとその支持フィルムに形成されたコイル導体３２とで構成されており、中央部が開口されている。第５の実施形態では、第２ブースター導体６２は、環状部分とそこからＬ字状に延び出た部分とを備え、コイル導体３２の三辺が第２ブースター導体６２に重なっている。また、給電アンテナ５０、第２ブースター導体６２、第１ブースター導体６１の順に重なっている。
【００４２】
図１３に示すように、先ず、給電アンテナ５０のコイル導体３２に流れる電流ｉ０によって第１ブースター導体６１に電流ｉ１０が誘起される。また、給電アンテナ５０のコイル導体３２に流れる電流ｉ０によって第２ブースター導体６２に電流ｉ２が誘起される。そして、第２ブースター導体６２に流れる電流ｉ２によって第１ブースター導体６１に電流ｉ１２が誘起される。
【００４３】
このようにして、給電アンテナ５０に対して第１ブースター導体６１だけを結合させた場合に比べて、電流ｉ２と電流ｉ１２の分だけ多くの電流が流れる。また、第２ブースター導体６２に電流ｉ２が流れることにより、電流の周回経路が拡大される。この二つの効果によって、アンテナの利得が向上する。
【００４４】
《他の実施形態》
以上に示した各実施形態では、給電コイルをスパイラル状の導体パターンで構成したが、これらは多層のループ状（ヘリカル状）の導体パターンで構成してもよい。また、ターン数は必要に応じて１ターンであってもよい。さらに、導体パターンの平面形状は矩形である必要はなく、円形や不定形であってもよいことは言うまでもない。また、ブースター導体は三つ以上あってもよい。
【００４５】
また、以上に示した各実施形態では、給電コイルが第１ブースター導体および第２ブースター導体に対して主に磁界を介して結合する例を示したが、周波数帯域によっては主に電界を介して結合するようにしてもよい。さらには電界および磁界の両方を介して結合するようにしてもよい。これは高周波信号の場合に、給電コイルとブースター導体との間の静電容量でも十分にエネルギーが伝達されるからである。この出願の特許請求の範囲および明細書において、「電磁界を介して結合」とは、「（１）主に電界を介して結合、（２）主に磁界を介して結合、（３）電界および磁界を介して結合」の３つの態様を含む。
【００４６】
また、以上に示した各実施形態では、ＨＦ帯のＲＦＩＤデバイスに適用する例を示したが、本発明はＨＦ帯に限らず例えばＵＨＦ帯のＲＦＩＤデバイスにも同様に適用できる。ＵＨＦ帯の場合には、第１第２のブースター導体の周囲に沿って電流が流れるだけでなく、ブースター導体に複数の電流経路のループが分布し、互いに隣接する電流ループ間に磁束が鎖交するような電磁界が生じる。また、ＲＦＩＤシステム以外のシステムにも利用することができる。
【００４７】
本発明のアンテナ装置のコイル導体に接続される給電回路は、例えば無線ＩＣ素子で構成される。この無線ＩＣ素子は通常はプリント配線板に搭載されるが、給電アンテナに搭載されていてもよい。
【符号の説明】
【００４８】
ｉ０…電流
ｉ１０，ｉ１２…電流
ｉ２…電流
３０…給電アンテナ
３１…支持フィルム
３２…コイル導体
３２Ｅ１…コイル導体の第１端部
３２Ｅ２…コイル導体の第２端部
４１…第１ブースター導体
４１Ｅ１…第１ブースター導体の第１端部
４１Ｅ２…第１ブースター導体の第２端部
４２…第２ブースター導体
４２Ｅ１…第２ブースター導体の第１端部
４２Ｅ２…第２ブースター導体の第２端部
５０…給電アンテナ
６１…第１ブースター導体
６２…第２ブースター導体
６３…フェライトシート
６４…プリント配線板
６５…ロッドアンテナ
６６…撮像素子
１０１〜１０５…アンテナ装置
【図１】
0005630503.tif 000002
【図２】
0005630503.tif 000003
【図３】
0005630503.tif 000004
【図４】
0005630503.tif 000005
【図５】
0005630503.tif 000006
【図６】
0005630503.tif 000007
【図７】
0005630503.tif 000008
【図８】
0005630503.tif 000009
【図９】
0005630503.tif 000010
【図１０】
0005630503.tif 000011
【図１１】
0005630503.tif 000012
【図１２】
0005630503.tif 000013
【図１３】
0005630503.tif 000014